(57)【特許請求の範囲】
【請求項１】
現像剤収容器の充填口を塞ぐためのキャップであって、
円板状のベースと、
前記ベースの周縁部から第１方向に延びる円筒状の第１円筒部と、
前記ベースの周縁部から前記第１方向と反対方向の第２方向に延びる円筒状の第２円筒部と、
前記第１円筒部の外周面から全周に亘り径方向外側に向けて所定の突出量で突出する第１突出部と、
前記第２円筒部の外周面から全周に亘り径方向外側に向けて前記所定の突出量で突出する第２突出部と、
前記ベースは、前記第１円筒部側の面および前記第２円筒部側の面からそれぞれ突出した格子状の補強リブを備えるキャップ。
【請求項２】
前記第１方向における前記第１円筒部の長さは、前記第２方向における前記第２円筒部の長さと等しいことを特徴とする、請求項１に記載のキャップ。
【請求項３】
前記第１突出部から前記第１円筒部の前記第１方向下流端までの長さは、
前記第２突出部から前記第２円筒部の前記第２方向下流端までの長さと等しいことを特徴とする、請求項１または請求項２に記載のキャップ。
【請求項４】
前記第１突出部の前記第１方向下流端から前記第２突出部の前記第２方向下流端までの長さは、前記第１円筒部側における前記補強リブの前記第１方向下流端から前記第２円筒部側における前記補強リブの前記第２方向下流端までの長さと等しいことを特徴とする、請求項１から３のいずれか１項に記載のキャップ。
【請求項５】
現像剤収容器の充填口を塞ぐためのキャップであって、
円板状のベースと、
前記ベースの周縁部から第１方向に延びる円筒状の第１円筒部と、
前記ベースの周縁部から前記第１方向と反対方向の第２方向に延びる円筒状の第２円筒部と、
前記第１円筒部の外周面から全周に亘り径方向外側に向けて所定の突出量で突出する第１突出部と、
前記第２円筒部の外周面から全周に亘り径方向外側に向けて前記所定の突出量で突出する第２突出部と、を備え、
前記第１円筒部には、前記第１方向に延びる複数の第１切込みが形成され、
前記第２円筒部には、前記第２方向に延びる複数の第２切込みが形成されるキャップ。
【請求項６】
前記第１円筒部の前記第１方向下流端から前記第２円筒部の前記第２方向下流端までの長さは、前記第１突出部および前記第２突出部の外径よりも大きいことを特徴とする、請求項１から５のいずれか１項に記載のキャップ。
【請求項７】
現像剤収容器の充填口を塞ぐためのキャップであって、
円板状のベースと、
前記ベースの周縁部から第１方向に延びる円筒状の第１円筒部と、
前記ベースの周縁部から前記第１方向と反対方向の第２方向に延びる円筒状の第２円筒部と、
前記第１円筒部の外周面から全周に亘り径方向外側に向けて所定の突出量で突出する第１突出部と、
前記第２円筒部の外周面から全周に亘り径方向外側に向けて前記所定の突出量で突出する第２突出部と、を備え、
前記第１円筒部の内周面および前記第２円筒部の内周面には、成型における抜き勾配であるテーパ形状の傾斜面がそれぞれ形成されており、
前記第１円筒部の傾斜面は、前記第１方向下流端に向かうにつれて、径方向外側に傾斜し、
前記第２円筒部の傾斜面は、前記第２方向下流端に向かうにつれて、径方向内側に傾斜するキャップ。
【請求項８】
現像剤を充填するための充填口が形成された容器本体と、前記容器本体に装着されるキャップとを備えた現像剤収容器であって、
前記容器本体は、
前記充填口を区画する筒状の区画面を有し、
前記キャップは、
円板状のベースと、
前記ベースの周縁部から前記キャップの装着方向下流側に延びる円筒状の第１円筒部と、
前記ベースの周縁部から前記装着方向上流側に延びる円筒状の第２円筒部と、
前記第１円筒部の外周面から全周に亘り径方向外側に向けて突出するとともに、前記容器本体の前記区画面に全周に亘って接触する第１突出部と、
前記第２円筒部の外周面から全周に亘り径方向外側に向けて突出するとともに、前記区画面に全周に亘って接触する第２突出部と、
を備え、
前記キャップの前記ベースは、前記第１円筒部側の面および前記第２円筒部側の面からそれぞれ突出した格子状の補強リブを備える現像剤収容器。
【請求項９】
前記ベースから前記第１円筒部の前記装着方向下流端までの長さは、前記ベースから前記第２円筒部の前記装着方向上流端までの長さと等しいことを特徴とする、請求項８に記載の現像剤収容器。
【請求項１０】
前記第１突出部から前記第１円筒部の前記装着方向下流端までの長さは、前記第２突出部から前記第２円筒部の前記装着方向上流端までの長さと等しいことを特徴とする、請求項８または請求項９に記載の現像剤収容器。
【請求項１１】
前記第１突出部の前記装着方向下流端から前記第２突出部の前記装着方向上流端までの長さは、前記第１円筒部側における前記補強リブの前記装着方向下流端から前記第２円筒部側における前記補強リブの前記装着方向上流端までの長さと等しいことを特徴とする、請求項９または１０に記載の現像剤収容器。
【請求項１２】
前記第３突出部は、前記第１円筒部の外周面から全周に亘って径方向外側へ突出し、
前記第４突出部は、前記第２円筒部の外周面から全周に亘って径方向外側へ突出することを特徴とする、請求項８に記載の現像剤収容器。
【請求項１３】
現像剤を充填するための充填口が形成された容器本体と、前記容器本体に装着されるキャップとを備えた現像剤収容器であって、
前記容器本体は、
前記充填口を区画する筒状の区画面を有し、
前記キャップは、
円板状のベースと、
前記ベースの周縁部から前記キャップの装着方向下流側に延びる円筒状の第１円筒部と、
前記ベースの周縁部から前記装着方向上流側に延びる円筒状の第２円筒部と、
前記第１円筒部の外周面から全周に亘り径方向外側に向けて突出するとともに、前記容器本体の前記区画面に全周に亘って接触する第１突出部と、
前記第２円筒部の外周面から全周に亘り径方向外側に向けて突出するとともに、前記区画面に全周に亘って接触する第２突出部と、
を備え、
前記第１円筒部には、前記第１方向に延びる複数の第１切込みが形成され、
前記第２円筒部には、前記第２方向に延びる複数の第２切込みが形成される現像剤収容器。
【請求項１４】
前記第１円筒部の前記装着方向下流端から前記第２円筒部の前記装着方向上流端までの長さは、前記第１突出部および前記第２突出部の外径よりも大きいことを特徴とする、請求項８から１３のいずれか１項に記載の現像剤収容器。
【請求項１５】
現像剤を充填するための充填口が形成された容器本体と、前記容器本体に装着されるキャップとを備えた現像剤収容器であって、
前記容器本体は、
前記充填口を区画する筒状の区画面を有し、
前記キャップは、
円板状のベースと、
前記ベースの周縁部から前記キャップの装着方向下流側に延びる円筒状の第１円筒部と、
前記ベースの周縁部から前記装着方向上流側に延びる円筒状の第２円筒部と、
前記第１円筒部の外周面から全周に亘り径方向外側に向けて突出するとともに、前記容器本体の前記区画面に全周に亘って接触する第１突出部と、
前記第２円筒部の外周面から全周に亘り径方向外側に向けて突出するとともに、前記区画面に全周に亘って接触する第２突出部と、
を備え、
前記第１円筒部の内周面および前記第２円筒部の内周面には、成型における抜き勾配であるテーパ形状の傾斜面がそれぞれ形成されており、
前記第１円筒部の傾斜面および前記第２円筒部の傾斜面は、前記装着方向下流側に向かうにつれて、径方向外側に傾斜する現像剤収容器。
【請求項１６】
前記容器本体の前記区画面の前記装着方向上流端および前記キャップの前記装着方向上流端は、略面一であることを特徴とする、請求項８から１５のいずれか１項に記載の現像剤収容器。
【請求項１７】
前記キャップの前記装着方向上流端は、前記容器本体の前記区画面の前記装着方向上流端よりも、前記装着方向下流側に配置されることを特徴とする、請求項８から１５のいずれか１項に記載の現像剤収容器。
【請求項１８】
前記キャップを前記装着方向上流側から覆う被覆部材を備えることを特徴とする、請求項８から１７のいずれか一項に記載の現像剤収容器。
【発明の詳細な説明】
【技術分野】
【０００１】
本発明は、現像剤収容器用のキャップおよび現像剤収容器に関する。
【背景技術】
【０００２】
従来より、トナー充填口が形成されている容器本体と、トナー充填口を塞ぐトナーキャップとを備えた現像剤収容器が知られている。特許文献１において、トナーキャップは、トナー充填口に挿入される挿入部と、挿入部の一端から外側に突出し、容器本体の外表面上に溶着される鍔部と、を有している。
【先行技術文献】
【特許文献】
【０００３】
【特許文献１】特開２００８−１４５９０７号公報
【発明の概要】
【発明が解決しようとする課題】
【０００４】
上記のような構成のトナーキャップを容器本体に装着する場合、鍔部が容器本体の外表面上に配置されるように、鍔部が配置されていない端部からトナー充填口に挿入する必要がある。そのため、キャップを容器本体に装着するのに手間がかかる。
【０００５】
本発明の目的は、より手間をかけず、容器本体に装着することが出来るキャップおよびそのキャップを備えた現像剤収容器を提供することにある。
【課題を解決するための手段】
【０００６】
（１）第１の発明は、現像剤収容器の充填口を塞ぐためのキャップであって、円板状のベースと、ベースの周縁部から第１方向に延びる円筒状の第１円筒部と、ベースの周縁部から第１方向と反対方向の第２方向に延びる円筒状の第２円筒部と、第１円筒部の外周面から全周に亘り径方向外側に向けて所定の突出量で突出する第１突出部と、第２円筒部の外周面から全周に亘り径方向外側に向けて所定の突出量で突出する第２突出部と、を備える。
【０００７】
このキャップによれば、第１円筒部の第１方向端部から容器本体に装着することも、第２円筒部の第２方向端部から容器本体に装着することも出来る。よって、装着方向が一方向に決まっているキャップに比べて、装着時の手間がよりかからない。
【０００８】
（２）ベースは、第１円筒部側の面および第２円筒部側の面からそれぞれ突出した格子状の補強リブを備えているとよい。
【０００９】
これによれば、ベースが、補強リブによって補強されているため、キャップの強度が増す。
【００１０】
（３）第１方向における第１円筒部の長さは、第２方向における第２円筒部の長さと等しいとよい。
【００１１】
これによれば、キャップは、第１円筒部の第１方向端部から容器本体に装着しても、第２円筒部の第２方向端部から容器本体に装着しても、ベースが、装着方向において、同じ位置になる。よって、さらにキャップの装着時の手間がかからない。
【００１２】
（４）第１突出部から第１円筒部の第１方向下流端までの長さは、第２突出部から第２円筒部の第２方向下流端までの長さと等しいとよい。
【００１３】
これによれば、キャップは、第１円筒部の第１方向端部から容器本体に装着しても、第２円筒部の第２方向端部から容器本体に装着しても、突出部の位置が、装着方向において、同じ位置になる。よって、さらにキャップの装着時の手間がかからない。
【００１４】
（５）第１突出部の第１方向下流端から第２突出部の第２方向下流端までの長さは、第１円筒部側における補強リブの第１方向下流端から第２円筒部側における補強リブの第２方向下流端までの長さと等しいとよい。
【００１５】
これによれば、第１円筒部および第２円筒部において、第１突出部および第２突出部に対応する径方向内側の部分が、補強リブによって、補強されているため、最も強度の必要な部分が変形しにくくなる。
【００１６】
（６）第１円筒部には、第１方向に延びる複数の第１切込みが形成され、第２円筒部には、第２方向に延びる複数の第２切込みが形成されているとよい。
【００１７】
これによれば、キャップを容器本体に装着する際に、第１円筒部および第２円筒部が、径方向内側に撓みやすくなるので、装着しやすい。また、第１円筒部および第２円筒部の撓む方向を規定できる。
【００１８】
（７）第１円筒部の第１方向下流端から第２円筒部の第２方向下流端までの長さは、第１突出部および第２突出部の外径よりも大きいとよい。
【００１９】
これによれば、キャップを小径の充填口に装着した際も、安定した装着状態を保てる。
【００２０】
（８）第１円筒部の内周面および第２円筒部の内周面には、成型における抜き勾配であるテーパ形状の傾斜面がそれぞれ形成されており、第１円筒部の傾斜面は、第１方向下流端に向かうにつれて、径方向外側に傾斜し、第２円筒部の傾斜面は、第２方向下流端に向かうにつれて、径方向内側に傾斜しているとよい。
【００２１】
これによれば、金型成型したキャップを金型から取り出す際に、取り外しやすくなる。
【００２２】
（９）第２の発明は、現像剤を充填するための充填口が形成された容器本体と、容器本体に装着されるキャップとを備えた現像剤収容器であって、容器本体は、充填口を区画する筒状の区画面を有し、キャップは、円板状のベースと、ベースの周縁部からキャップの装着方向下流側に延びる円筒状の第１円筒部と、ベースの周縁部から装着方向上流側に延びる円筒状の第２円筒部と、第１円筒部の外周面から全周に亘り径方向外側に向けて突出するとともに、容器本体の区画面に全周に亘って接触する第１突出部と、第２円筒部の外周面から全周に亘り径方向外側に向けて突出するとともに、区画面に全周に亘って接触する第２突出部と、を備えている。
【００２３】
これによれば、第１突出部および第２突出部が、区画面に全周に亘って接触するので、容器本体内のトナーが漏れるのを抑制することが出来る。
【００２４】
（１０）容器本体の区画面には、装着方向下流端において径方向内側に突出する突起部が形成され、キャップは、第１円筒部の装着方向下流端において、第１円筒部の外周面から突出する第３突出部と、第２円筒部の装着方向上流端において、第２円筒部の外周面から突出する第４突出部と、を有し、第３突出部は、装着方向において突起部の下流側に配置され、装着方向において突起部と対向するとよい。
【００２５】
これによれば、キャップを装着方向上流側へ移動させようとすると、第３突出部または第４突出部が、突起部と接触するので、キャップが容器本体から外れるのを防止できる。
【００２６】
（１１）第３突出部は、第１円筒部の外周面から全周に亘って径方向外側へ突出し、第４突出部は、第２円筒部の外周面から全周に亘って径方向外側へ突出するとよい。
【００２７】
これによれば、キャップを装着方向上流側へ移動させると、キャップの第３突出部または第４突出部が、必ず突起部と接触するので、容器本体からキャップが外れるのをより確実に防止できる。
【００２８】
（１２）容器本体の区画面の装着方向上流端およびキャップの装着方向上流端は、略面一であるとよい。
【００２９】
これによれば、キャップの装着方向上流側からキャップを覆うシールなどを容器本体に貼付しやすい。また、貼付したシールなどが剥れにくい。
【００３０】
（１３）キャップの装着方向上流端は、容器本体の区画面の装着方向上流端よりも、装着方向下流側に配置されるとよい。
【００３１】
これによれば、キャップが装着方向上流側から露出していないので、ユーザが不用意にキャップに触れるのを抑制できる。
【００３２】
（１４）キャップを装着方向上流側から覆う被覆部材を備えるとよい。
【００３３】
これによれば、キャップが装着方向上流側から露出していないので、ユーザが不用意にキャップに触れるのを抑制できる。
【発明の効果】
【００３４】
本発明のキャップによれば、第１円筒部の第１方向端部から容器本体に装着することも、第２円筒部の第２方向端部から容器本体に装着することも出来る。よって、装着方向が一方向に決まっているキャップに比べて、装着時の手間がよりかからない。
【図面の簡単な説明】
【００３５】
【図１】現像剤収容器の斜視図である。
【図２】キャップを示す図であり、（ａ）は斜視図であり、（ｂ）は径方向から見た図であり、（ｃ）は前後方向から見た図であり、（ｄ）は断面図である。
【図３】キャップを容器本体に装着した状態を示す図である。
【図４】第２実施形態のキャップを示す図であり、（ａ）は斜視図、（ｂ）は前後方向から見た図、（ｃ）は容器本体に装着した様子を示す図である。
【図５】第３実施形態のキャップを示す図であり、（ａ）は斜視図、（ｂ）は径方向から見た図、（ｃ）は容器本体に装着した様子を示す図である。
【図６】第４実施形態のキャップを容器本体に装着した様子を表す図である。
【発明を実施するための形態】
【００３６】
＜第１実施形態＞
１．現像剤収容器の構成
本発明の実施の形態について図面を参照して説明する。図１は、本発明の現像剤収容器１の斜視図である。尚、以下の説明において、方向は、図１に示すように、キャップ３の装着方向（矢印方向）を前後方向として、後側から前側へ装着するものとする。また、前後方向に直交する方向を径方向とする。また、「第１方向」とは、前方に延びる方向であり、「第２方向」とは、後方に延びる方向を指す。
【００３７】
現像剤収容器１は、図１に示すように、トナー（現像剤）を収容する容器本体２と、容器本体２に装着されるキャップ３とを備えている。
【００３８】
容器本体２は、前側壁４および後側壁５を備えている。容器本体２の後側壁５には、充填口６が形成されている。充填口６は、容器本体２内に連通しており、充填されるトナーを受け入れる。
【００３９】
キャップ３は、容器本体２内のトナーが漏れないように、充填口６を塞ぐ。キャップ３は、充填口６に対して、後側に位置した状態で前側へ移動させられることによって、容器本体２に装着されて充填口６を塞ぐ。
【００４０】
２．キャップの構成
図２は、キャップ３を示す図であり、（ａ）は斜視図であり、（ｂ）は径方向から見た図であり、（ｃ）は前後方向からみた図であり、（ｄ）は断面図である。
【００４１】
キャップ３は、ゴム等の弾性材料からなり、金型によって成型される。また、キャップ３は、ベース７と、第１円筒部８と、第３突出部１２と、第２円筒部９と、第４突出部１３と、第１突出部１０と、第２突出部１１と、を備えている。
【００４２】
ベース７は、円板状であり、図２（ｄ）に示すように、キャップ３の前後方向において中央に位置している。また、ベース７の直径は、１０ｍｍである。
【００４３】
第１円筒部８は、ベース７の周縁部から前方へ円筒状に延びている。
【００４４】
第３突出部１２は、キャップ３の前端において、第１円筒部８の外周面から全周に亘って突出している。第３突出部１２は、図２（ｄ）に示すように、第１直交面１２Ａと、第１周面１２Ｂと、第１傾斜面１２Ｃとを備えている。第１直交面１２Ａは、第３突出部１２の後端に位置し、径方向外側に全周に亘って延び、第１円筒部８の外周面と直交する面である。第１周面１２Ｂは、第１直交面１２Ａの周縁から前方に真っ直ぐ延びる面である。第１傾斜面１２Ｃは、第１周面１２Ｂの前端とつながっており、前方へ向かうにつれて径方向内側へ傾斜している。
【００４５】
第２円筒部９は、ベース７の周縁部から後方へ円筒状に延びている。第４突出部１３は、キャップ３の後端において、第２円筒部９の外周面から全周に亘って突出している。第４突出部１３は、第２直交面１３Ａと、第２周面１３Ｂと、第２傾斜面１３Ｃとを備えている。第２直交面１３Ａは、第４突出部１３の前端に位置し、径方向外側に全周に亘って延び、第２円筒部９の外周面と直交する面である。第２周面１３Ｂは、第２直交面１３Ａの周縁から後方に真っ直ぐ延びる面である。第２傾斜面１３Ｃは、第２周面１３Ｂの後端とつながっており、後方へ向かうにつれて径方向内側へ傾斜している。
【００４６】
また、図２（ｄ）に示すように、第１円筒部８の前後方向における長さＬ１（４ｍｍ）は、第２円筒部９の前後方向における長さＬ２（４ｍｍ）と等しい。また、第１円筒部８および第２円筒部９の外径は、ベース７の直径と等しい。
【００４７】
第１突出部１０は、第１円筒部８の外周面から全周に亘り、径方向外側に向けて突出している。第１突出部１０の後端は、図２（ｄ）に示すように、前後方向において、ベース７の前端と同じ位置に位置する。第１突出部１０は、第１円筒部８の外周面から突出した第１突起部１０Ａと、第１突起部１０Ａの前後方向における中央から、さらに、径方向外側へと突出し、後述する容器本体２の区画面１５と接触する第１接触部１０Ｂとからなる。第１突起部１０Ａは、図４（ｄ）に示すように、断面視略正方形であり、第１接触部１０Ｂは、半円形状である。
【００４８】
第２突出部１１は、第２円筒部９の外周面から全周に亘り、径方向外側に向けて突出している。第２突出部１１の前端は、図２（ｄ）に示すように、前後方向において、ベース７の後端と同じ位置に位置する。第２突出部１１は、第２円筒部９の外周面から突出した第２突起部１１Ａと、第２突起部１１Ａの前後方向における中央から、さらに、径方向外側へと突出し、後述する容器本体２の区画面１５と接触する第２接触部１１Ｂとからなる。第２突起部１１Ａは、図２（ｄ）に示すように、断面視略正方形であり、第２接触部１１Ｂは、半円形状である。
【００４９】
また、図２（ｂ）に示すように、第１突出部１０の第１円筒部８の外周面からの突出量Ｌ３（所定の突出量）は、第２突出部１１の第２円筒部９の外周面からの突出量Ｌ４と等しい。
【００５０】
また、図２（ｂ）に示すように、第１円筒部８の前端と第１突出部１０の後端との距離Ｌ５は、第２円筒部９の後端と第２突出部１１の前端との距離Ｌ６と等しい。
【００５１】
以上のような構成により、キャップ３は、反転可能（リバーシブル）になっている。これにより、キャップ３は、第１円筒部８側から充填口６に装着しても、第２円筒部９側から充填口６に装着してもよい。
【００５２】
３．キャップの装着
図３は、容器本体２にキャップ３を装着した状態の断面図である。
【００５３】
容器本体２は、充填口６を区画する筒状の区画面１５を有している。また、区画面１５の前端には、径方向内側に突出する突起部１６が形成されている。突起部１６は、傾斜面１６Ａと、対向面１６Ｂと、接続面１６Ｃと、直交面１６Ｄとを有している。傾斜面１６Ａは、前方に向かうに従って径方向内側に傾斜している。対向面１６Ｂは、突起部１６の前端に設けられ、径方向に真っ直ぐ延びる面である。また、対向面１６Ｂは、キャップ３の第１直交面１２Ａまたは第２直交面１３Ａのいずれかと対向する。接続面１６Ｃは、傾斜面１６Ａと対向面１６Ｂを接続し、前後方向に真っ直ぐ延びる面である。また、接続面１６Ｃの内径は、第３突出部１２および第４突出部１３の最大径よりも小さい。よって、第３突出部１２および第４突出部１３は、キャップ３の容器本体２への装着時に、径方向内側へ撓む。直交面１６Ｄは、区画面１５と直交する面であり、傾斜面１６Ａの後端と接続している。
【００５４】
次に、キャップ３が容器本体２に装着された状態について説明する。尚、前述したように、キャップ３はリバーシブルであるために、第１円筒部８側から充填口６に装着しても、第２円筒部９側から充填口６に装着してもよい。ここでは、第１円筒部８側から充填口６に装着した場合について説明する。
【００５５】
図３に示すように、キャップ３が容器本体２に装着された状態において、容器本体２の区画面１５は、全周に亘って、第１突出部１０の第１接触部１０Ｂおよび第２突出部１１の第２接触部１１Ｂと接触している。また、容器本体２の区画面１５は、第１突出部１０の第１突起部１０Ａおよび第２突出部１１の第２突起部１１Ａとは接触していない。また、突起部１６の直交面１６Ｄは、キャップ３の第１突起部１０Ａの前端と接触している。
【００５６】
また、容器本体２の対向面１６Ｂは、前後方向において、第１直交面１２Ａと対向している。
【００５７】
また、容器本体２の後端とキャップ３の後端が、面一となっている。
【００５８】
４．作用効果
（１）このように、キャップ３は、円板状のベース７と、ベース７の周縁部から前方に延びる円筒状の第１円筒部８と、ベース７の周縁部から後方に延びる円筒状の第２円筒部９と、第１円筒部８の外周面から全周に亘り径方向外側に向けて突出量Ｌ３で突出する第１突出部１０と、第２円筒部９の外周面から全周に亘り径方向外側に向け、突出量Ｌ３と等しい突出量Ｌ４で突出する第２突出部１１と、を備える。
【００５９】
この結果、本発明のキャップ３は、キャップ３の前端側から容器本体２に装着することも、キャップ３の後端側から容器本体２に装着することも出来る。よって、装着方向が一方向に決まっているキャップに比べて、装着時の手間がよりかからない。
【００６０】
（２）前後方向における第１円筒部８の長さＬ１は、前後方向における第２円筒部９の長さＬ２と等しい。
【００６１】
この結果、キャップ３は、前端側から容器本体２に装着しても、後端側から容器本体２に装着しても、ベース７が、前後方向において、同じ位置になる。よって、さらにキャップ３の装着時の手間がかからない。
【００６２】
（３）第１突出部１０から第１円筒部８の前端までの長さＬ５は、第２突出部１１から第２円筒部９の後端までの長さＬ６と等しい。
【００６３】
この結果、キャップ３は、前端側から容器本体２に装着しても、後端側から容器本体２に装着しても、突出部１０、１１の位置が、前後方向において、同じ位置になる。よって、さらにキャップ３の装着時の手間がかからない。
【００６４】
（４）現像剤収容器１は、トナーを充填するための充填口６が形成された容器本体２と、容器本体２に装着される本発明のキャップ３とを備え、容器本体２は、充填口６を区画する筒状の区画面１５を有し、キャップ３は、円板状のベース７と、ベース７の周縁部からキャップ３の前方に延びる円筒状の第１円筒部８と、ベース７の周縁部から後方に延びる円筒状の第２円筒部９と、第１円筒部８の外周面から全周に亘り径方向外側に向けて突出するとともに、容器本体２の区画面１５に全周に亘って接触する第１突出部１０と、第２円筒部９の外周面から全周に亘り径方向外側に向けて突出するとともに、区画面１５に全周に亘って接触する第２突出部１１と、を備える。
【００６５】
この結果、第１突出部１０および第２突出部１１が、区画面１５に全周に亘って接触するので、容器本体２内のトナーが漏れるのを抑制することが出来る。
【００６６】
（５）容器本体２の区画面１５には、前端において径方向内側に突出する突起部１６が形成され、キャップ３は、第１円筒部８の前端において、第１円筒部８の外周面から突出する第３突出部１２と、第２円筒部９の後端において、第２円筒部９の外周面から突出する第４突出部１３とを有し、第３突出部１２は、前後方向において突起部１６の前側に配置され、前後方向において突起部１６と対向する。
【００６７】
この結果、キャップ３を後側へ移動させようとすると、第３突出部１２または第４突出部１３が、突起部１６と接触する。よって、キャップ３が容器本体２から外れるのを防止できる。
【００６８】
（６）第３突出部１２は、第１円筒部８の外周面から全周に亘って径方向外側へ突出し、第４突出部１３は、第２円筒部９の外周面から全周に亘って径方向外側へ突出する。
【００６９】
この結果、キャップ３を後側へ移動させると、キャップ３の第３突出部１２または第４突出部１３が、必ず突起部１６と接触する。よって、容器本体２からキャップ３が外れるのをより確実に防止できる。
【００７０】
（７）容器本体２の区画面１５の後端およびキャップ３の後端は、面一である。
【００７１】
この結果、キャップ３の後方からキャップ３を覆うシールなどを容器本体２に貼付しやすい。また、貼付したシールなどが剥れにくい。
【００７２】
＜第２実施形態＞
図４は、第２実施形態におけるキャップを示す図であり、（ａ）は斜視図であり、（ｂ）は前後方向からみた図であり、（ｃ）は容器本体２に装着した状態の断面図である。尚、補強リブ以外の構成は、第１実施形態と同様であるので、詳細な説明は省略するものとする。
【００７３】
図４に示すように、キャップ２０は、ベース７の第１円筒部８側の面から突出した第１補強リブ２１と、ベース７の第２円筒部９側から突出した第２補強リブ２２とを備える。第１補強リブ２１および第２補強リブ２２は、図４（ｂ）に示すように、前後方向からみて、格子状である。また、第１補強リブ２１と第２補強リブ２２は、図４（ｃ）に示すように、前後方向において、対称な位置に配置されていない。また、第１突出部１０の前端から第２突出部１１の後端までの長さＬ８は、第１補強リブ２１の前端から第２補強リブ２２の後端までの長さと等しい。
【００７４】
以上のような構成により、第１円筒部８および第２円筒部９において、第１突出部１０および第２突出部１１に対応する径方向内側の部分は、第１補強リブ２１および第２補強リブ２２によって、補強されている。よって、キャップ２０は、第１突出部１０および第２突出部１１が容器本体２の区画面１５と接触しても、変形しにくい。また、ベース７が、補強リブ２１、２２によって補強されているため、キャップ２０の強度が増す。
【００７５】
また、現像剤収容器１は、被覆部材の一例としてのシール４０を備えている。シール４０は、図４（ｃ）に示すように、キャップ３の後方から、キャップ３を覆うように、容器本体２に貼付する。
【００７６】
これにより、キャップ３が後方から露出していないので、ユーザが不用意にキャップ３に触れるのを抑制できる。
【００７７】
＜第３実施形態＞
図５は、第３実施形態におけるキャップを示す図であり、（ａ）は斜視図であり、（ｂ）は径方向から見た図であり、（ｃ）は容器本体２に装着した状態の断面図である。尚、第１円筒部と第２円筒部以外の構成は、第１実施形態および第２実施形態と同様であるので、詳細な説明は省略するものとする。
【００７８】
図５に示すように、キャップ３０において、第１円筒部３１には、前後方向に延びる複数の第１切込み３３が形成されている。第１切込み３３は、図５（ｂ）に示すように、第１円筒部３１の前端から第１突出部１０の前端まで延びている。また、第１切込み３３は、第１円筒部３１の円周に沿って、一定間隔毎に設けられている。また、第１切込み３３は、第１円筒部３１の内部まで貫通している。
【００７９】
同様に、キャップ３０において、第２円筒部３２には、前後方向に延びる複数の第２切込み３４が形成されている。第２切込み３４は、図５（ｂ）に示すように、第２円筒部３２後端から第２突出部１１の後端まで延びている。また、第２切込み３４は、円周に沿って、一定間隔毎に設けられている。また、第２切込み３４は、第２円筒部３２の内部まで貫通している。
【００８０】
以上のような構成により、キャップ３０を容器本体２に装着する際に、第１円筒部３１および第２円筒部３２が、径方向内側に撓みやすくなるので、装着しやすい。また、キャップ３０を容器本体２に装着する際に、第１円筒部３１および第２円筒部３２の撓む方向を規定できる。
【００８１】
＜第４実施形態＞
図６は、第４実施形態のキャップを容器本体に装着した様子を表す図である。尚、第１実施形態および第２実施形態と同様な部分は、詳細な説明は省略するものとする。
【００８２】
図６に示すように、第１円筒部８の前端から第２円筒部９の後端までの長さＢは、キャップ３において、最も径方向に突出している第１突出部１０および第２突出部１１の外径Ａより大きい。
【００８３】
よって、キャップ３を小径の充填口６に装着しても、前後方向長さの方が径方向長さよりも長いため、安定した装着状態を保てる。
【００８４】
また、第１円筒部８は、内周面において、前方に向かうにつれて径方向外側に傾斜する第１円筒部傾斜面３５を有する。同様に、第２円筒部９は、内周面において、前方に向かうにつれて径方向外側に傾斜する第２円筒部傾斜面３６を有する。
【００８５】
このような構成により、金型成型したキャップ３を金型から取り出す際に、取り外しやすくなる。
【００８６】
また、キャップ３の後端は、容器本体２の区画面１５の後端よりも、前側に位置している。
【００８７】
これにより、キャップ３が後方から露出していないので、ユーザが不用意にキャップ３に触れるのを抑制できる。
【符号の説明】
【００８８】
１  現像剤収容器
２  容器本体
３  キャップ
６  充填口
７  ベース
８  第１円筒部
９  第２円筒部
１０  第１突出部
１１  第２突出部
１２  第３突出部
１３  第４突出部
１５  区画面
１６  突起部
２１  第１補強リブ
２２  第２補強リブ
３３  第１切込み
３４  第２切込み
４０  被覆部材
【図１】
0005891739.tif 000002
【図２】
0005891739.tif 000003
【図３】
0005891739.tif 000004
【図４】
0005891739.tif 000005
【図５】
0005891739.tif 000006
【図６】
0005891739.tif 000007